(57)【要約】【課題】１つのメールアドレスで受信したメールを複数のユーザが各々のメールとして閲覧可能な通信端末装置及びその制御方法、プログラム、記録媒体を提供する。【解決手段】１つのメールアドレスで複数のユーザがメールを受信可能な通信端末装置１００において、複数のユーザに対応させて各々のユーザが受信すべきメールを識別するための識別情報を設定し、設定された識別情報に基づき、受信したメールを各々のユーザに関連付けて記憶領域に格納し、任意のユーザ１１０からのメール閲覧要求に応じて、そのユーザ１１０に関連付けられて記憶領域に格納されたメールをＬＣＤ１０１に表示させる。【選択図】　　　図１
2004029962.tif 000002
【特許請求の範囲】
【請求項１】
通信回線に接続され、１つのメールアドレスで複数のユーザがメールを受信可能な通信端末装置であって、
複数のユーザに対応させて各々のユーザが受信すべきメールを識別するための識別情報を設定する設定手段と、
メールを格納する複数の記憶領域を有し、前記設定手段で設定された識別情報に基づき、受信したメールを各々のユーザに関連付けて前記記憶領域に格納する格納手段と、
任意のユーザからのメール閲覧要求に応じて、該ユーザに関連付けられて前記記憶領域に格納されたメールを表示させる表示制御手段とを有することを特徴とする通信端末装置。
【請求項２】
前記識別情報は、各々のユーザを識別するための少なくとも１つのキーワードであることを特徴とする請求項１に記載の通信端末装置。
【請求項３】
前記格納手段は、前記識別情報が受信したメールの表題及びメール本文に含まれる場合に、前記識別情報を対応させて設定したユーザに関連付けて前記受信したメールを前記記憶領域に格納することを特徴とする請求項２に記載の通信端末装置。
【請求項４】
前記表示制御手段は、前記受信したメールが格納された記憶領域の領域番号を表示し、当該メールに関連付けられたユーザからのメール閲覧要求を促すことを特徴とする請求項１に記載の通信端末装置。
【請求項５】
前記表示制御手段は、前記領域番号が入力されると、該領域番号に対応するユーザの認証を行い、該領域番号の記憶領域に格納されたメールを表示させることを特徴とする請求項４に記載の通信端末装置。
【請求項６】
前記ユーザの認証は、予め登録しておいたパスワードと入力されたパスワードとを比較することにより行うことを特徴とする請求項５に記載の通信端末装置。
【請求項７】
複数の端末装置と通信を行う通信手段と、各々の端末装置に対してメール受信を通知する通知手段と、任意の端末装置からのメール閲覧要求に応じて、各々のユーザに関連付けて前記記憶領域に格納されたメールを該端末装置へ転送する転送手段とを更に有することを特徴とする請求項１に記載の通信端末装置。
【請求項８】
前記複数の端末装置は、前記複数のユーザに対応し、各々の端末装置は前記転送されたメールを表示させることを特徴とする請求項７に記載の通信端末装置。
【請求項９】
任意の端末装置で作成されたメールを受信し、該端末装置に関連付けて前記複数の記憶領域に格納して相手宛先へ送信する手段を更に有することを特徴とする請求項７に記載の通信端末装置。
【請求項１０】
少なくとも相手の名称、電話番号、メールアドレス、及びキーワードを登録可能なアドレス帳を有し、
前記設定手段は、前記アドレス帳を用いてメールの送信先を設定した場合に、登録されているキーワードをメールの表題及びメール本文に設定することを特徴とする請求項１に記載の通信端末装置。
【請求項１１】
通信回線に接続され、１つのメールアドレスで複数のユーザがメールを受信可能な通信端末装置であって、
複数の端末装置と無線により通信を行う無線通信手段と、
前記複数の端末装置に対応させて各々の端末装置が受信すべきメールを識別するための識別情報を設定する設定手段と、
前記設定手段で設定された識別情報に基づき、受信したメールを前記識別情報を対応させて設定した端末装置に転送する転送手段とを有し、
各々の端末装置は、前記転送手段により転送されたメールを格納手段に格納し、メール閲覧要求に応じて、前記格納手段に格納したメールを表示させることを特徴とする通信端末装置。
【請求項１２】
通信回線に接続され、１つのメールアドレスで複数のユーザがメールを受信可能な通信端末装置の制御方法であって、
複数のユーザに対応させて各々のユーザが受信すべきメールを識別するための識別情報を設定する設定工程と、
メールを格納する複数の記憶領域を有し、前記設定工程で設定された識別情報に基づき、受信したメールを各々のユーザに関連付けて前記記憶領域に格納する格納工程と、
任意のユーザからのメール閲覧要求に応じて、該ユーザに関連付けられて前記記憶領域に格納されたメールを表示させる表示制御工程とを有することを特徴とする通信端末装置の制御方法。
【請求項１３】
コンピュータを、請求項１乃至請求項１１の何れか一項に記載の通信端末装置として機能させるためのプログラム。
【請求項１４】
請求項１３に記載のプログラムが記録されたコンピュータ読み取り可能な記録媒体。
【発明の詳細な説明】
【０００１】
【発明の属する技術分野】
本発明は、通信回線に接続され、１つのメールアドレスで複数のユーザがメールを受信可能な通信端末装置及びその制御方法、プログラム、記録媒体に関するものである。
【０００２】
【従来の技術】
従来、複数のクライアント端末がアクセスを行う電子メール通信可能なインターネット接続装置では、個々の端末がユニークな電子メールアドレスを所有し、サーバーやルーターによりルーティングを行うことが一般的である。
【０００３】
また、家庭や小規模事業所などにおいて、有線電話回線に接続されるインターネット接続が可能な情報端末においては、それぞれのクライアント（子端末）が固有の電子メールアドレスを持つ親子電話のような形態が提案されている。この提案では、電話回線に接続される親機がサーバーとなり、子機が持つ固有の電子メールアドレスに対応したメールのみを子機側に転送させるものである。
【０００４】
【発明が解決しようとする課題】
しかしながら、上記従来例では、それぞれの子機が固有の電子メールアドレスを持たなければならず、１つのメールアドレスを複数のユーザが共有する場合、自分だけの電子メール環境が持てないという欠点がある。
【０００５】
また、有線電話回線におけるインターネット接続サービス（Ｌモード）では、１回線に対して１つの電子メールアドレスしか割り当てられないために、上述の不具合が発生することが懸念される。即ち、親子電話のような通信端末において、通常の通話は家族間での秘匿性が保たれているにもかかわらず、電子メールは秘匿性のあるものとして扱うことができないという問題があった。
【０００６】
本発明は、上記課題を解決するためになされたもので、１つのメールアドレスで受信したメールを複数のユーザが各々のメールとして閲覧可能な通信端末装置及びその制御方法、プログラム、記録媒体を提供することを目的とする。
【０００７】
【課題を解決するための手段】
上記目的を達成するために、本発明は、通信回線に接続され、１つのメールアドレスで複数のユーザがメールを受信可能な通信端末装置であって、複数のユーザに対応させて各々のユーザが受信すべきメールを識別するための識別情報を設定する設定手段と、メールを格納する複数の記憶領域を有し、前記設定手段で設定された識別情報に基づき、受信したメールを各々のユーザに関連付けて前記記憶領域に格納する格納手段と、任意のユーザからのメール閲覧要求に応じて、該ユーザに関連付けられて前記記憶領域に格納されたメールを表示させる表示制御手段とを有することを特徴とする。
【０００８】
また、上記目的を達成するために、本発明は、通信回線に接続され、１つのメールアドレスで複数のユーザがメールを受信可能な通信端末装置であって、複数の端末装置と無線により通信を行う無線通信手段と、前記複数の端末装置に対応させて各々の端末装置が受信すべきメールを識別するための識別情報を設定する設定手段と、前記設定手段で設定された識別情報に基づき、受信したメールを前記識別情報を対応させて設定した端末装置に転送する転送手段とを有し、各々の端末装置は、前記転送手段により転送されたメールを格納手段に格納し、メール閲覧要求に応じて、前記格納手段に格納したメールを表示させることを特徴とする。
【０００９】
更に、上記目的を達成するために、本発明は、通信回線に接続され、１つのメールアドレスで複数のユーザがメールを受信可能な通信端末装置の制御方法であって、複数のユーザに対応させて各々のユーザが受信すべきメールを識別するための識別情報を設定する設定工程と、メールを格納する複数の記憶領域を有し、前記設定工程で設定された識別情報に基づき、受信したメールを各々のユーザに関連付けて前記記憶領域に格納する格納工程と、任意のユーザからのメール閲覧要求に応じて、該ユーザに関連付けられて前記記憶領域に格納されたメールを表示させる表示制御工程とを有することを特徴とする。
【００１０】
【発明の実施の形態】
以下、図面を参照しながら本発明に係る実施の形態を詳細に説明する。
【００１１】
本実施形態では、通信端末装置として一般公衆回線（ＰＳＴＮ）に接続され、インターネット接続サービス（Ｌモード）を利用可能な単独或いは複数の別体の子機と親機とから構成される電話機を例に説明する。尚、本発明は電話機だけに限らず、例えば家庭用のファクシミリ装置やその他の通信端末装置に適用できることは言うまでもない。
【００１２】
図１は、本実施形態における通信端末装置の外観を示す斜視図である。図１において、１００は通信端末装置の親機であり、一般公衆回線（ＰＳＴＮ）に接続され、ＰＳＴＮ経由でインターネットへのアクセスが可能である。親機１００は大型液晶表示器１０１を備え、受信メールの表示や送信メールの編集などを行うことができる。１１０は子機であり、親機１００との間を無線により接続され、親機１００とのデータ送受信が可能な構成となっている。
【００１３】
次に、本実施形態における親機１００及び子機１１０の構成及び動作について説明する。まず、親機１００及び子機１１０の概略構成について説明する。
【００１４】
図２は、本実施形態における親機１００の概略構成を示すブロック図である。図２において、２０１はリンガー部であり、着信時やメール受信時に鳴動させる各種電子音を生成する。２０２は操作部であり、相手宛先の電話番号やアドレス及びメール本文を入力するためのキーや各種機能キーなどで構成される。２０３は大型液晶表示器（図１に示す１０１）で構成される表示部であり、相手宛先の電話番号やアドレス及びメール本文などを表示する。２０４は無線制御部であり、子機１１０との間の無線通信を制御する。２０５はメモリ部であり、後述するＭＰＵ部が制御を実行時に使用するワークエリア、ＭＰＵ部のプログラム（制御手順）及びメールデータなどを保存するエリアが定義されたメモリである。尚、このメールデータなどについては、図面を参照しながら更に後述する。
【００１５】
２０６は電源部であり、商用電源に接続され、親機１００へ電源を供給する。２０７はＭＰＵ部であり、メモリ部２０５に格納されたプログラムに従って親機１００全体を制御する。２０８はハンドセット部であり、スピーカ及びマイクで構成される。２０９は音声モニター部であり、スピーカを含み、操作部２０２の機能キーの一種であるモニターキーが押下されると、受話音声をスピーカに出力する。２１０はモデム部であり、通信回線からのアナログ信号をデジタルベースバンド信号に変調し、また逆にデジタルベースバンド信号をアナログ信号に変調する。２１１は通信制御部（ＮＣＵ）であり、通信回線との通信を制御する。
【００１６】
図３は、本実施形態における子機１１０の概略構成を示すブロック図である。図３において、３０１〜３０８は図２に示す親機１００の２０１〜２０８に対応するものであり、表示部３０３が小型液晶表示器で構成され、また電源部３０６がバッテリー駆動可能である点を除いて基本的には同じものである。
【００１７】
次に、本実施形態における親機１００のメモリ部２０５上に設けられ、メールデータなどを保存するための「メッセージＢＯＸ」について説明する。
【００１８】
図４は、本実施形態におけるメッセージＢＯＸの構成を示す図である。図４に示すように、メッセージＢＯＸは、０〜ｎの「Ｎｏ」４０１によって識別され、それぞれのＢＯＸにはオペレータが任意に設定できる「メッセージＢＯＸ名称」４０２、「パスワード」４０３、「相手宛先キーワード１」４０４、「相手宛先キーワード２」４０５が割り当てられている。また、メッセージＢＯＸのＮｏが“０”のＢＯＸは個人用ではなく、共有のＢＯＸとして扱うものとする。
【００１９】
図５は、図４に示すメッセージＢＯＸのメモリ配置と入力例を示す図である。図５に示すように、１つの電子メールに対応するメッセージＢＯＸのメモリ配置としては、まずメモリ上のローアドレスに属性情報を管理するための管理ヘッダが配置され、これに続くメモリ上のハイアドレスにメール本文が配置される。
【００２０】
ここで、図５に示す管理ヘッダの内容について説明する。メッセージＢＯＸの「Ｎｏ」はメッセージＢＯＸを識別するためのユニークな番号である。尚、このメッセージＢＯＸの数は端末の構成によって制限されても良い。「送受識別」は受信メールか送信メールかを識別する情報である。「相手宛先メールアドレス」はメール送信元、或いはメール送信先の電子メールアドレスである。「相手宛先キーワード」は配信相手のメッセージＢＯＸを指定するためのキーワードである。このキーワードは１つでも良いし、複数あっても良い。
【００２１】
次に、本実施形態における親機がＰＳＴＮを介してインターネット上のメールサーバーにダイヤルアップ接続を行ってメールを受信し、その受信通知を表示部２０３のＬＣＤに表示するまでの動作について説明する。
【００２２】
尚、この動作は親機のメモリ部２０５に記憶されたプログラムに従ってＭＰＵ部２０７によって実行されるものである。
【００２３】
図６は、本実施形態におけるメール受信の動作を示すフローチャートである。まずステップＳ６０１において、オペレータによる操作部２０２の操作に基づき、モデム部２１０及び通信制御部２１１からＰＳＴＮ経由でインターネット上のメールサーバーにダイヤルアップ接続を行い、親機の持つ１つのメールアドレスへのメールを受信する。次に、ステップＳ６０２において、メールが受信できた場合はステップＳ６０３へ進み、図５に示すように、メモリにメール本文を格納し、ステップＳ６０４において、ｓｕｂｊｅｃｔ（メールの表題）や相手先情報を管理ヘッダに格納する。ここで、管理ヘッダのメッセージＢＯＸの「Ｎｏ」は“０”を割り当てておく。
【００２４】
次に、ステップＳ６０５において、ｓｕｂｊｅｃｔ（メールの表題）の内容をスキャンし、予め登録された相手宛先キーワードが含まれているかを検索する。このキーワードは１つであっても良いし、複数であっても良い。複数である場合は、そのうちの何れか１つに該当するかを検索する。そして、ステップＳ６０６において、相手宛先キーワードが発見できない場合はステップＳ６０７へ進み、メール本文を検索し、キーワードが含まれるかを調べる。ここで、メール本文にもキーワードが発見できない場合には、ステップＳ６０８からステップＳ６１２へ進み、通常のメールを受信したことを通知するためにその旨を表示部２０３のＬＣＤに表示して処理を終了する。
【００２５】
また、上述のステップＳ６０６又はＳ６０８において、相手宛先キーワードを発見した場合はステップＳ６０９へ進み、該当するメッセージＢＯＸの「Ｎｏ」を管理ヘッダにセットする。尚、本実施形態では、相手宛先キーワードの検索をｓｕｂｊｅｃｔとメール本文について行っているが、相手端末でｓｕｂｊｅｃｔ又はメール本文に「キーワード」を入力することは容易であり、相手端末の機能の制約を受けない利点があるからである。しかし、この「キーワード」はどちらか一方だけであっても良いことは言うまでもない。
【００２６】
次に、ステップＳ６１０において、メールを受信したことを通知するために、親機の表示部２０３のＬＣＤに受信したメッセージＢＯＸの「Ｎｏ」を表示する。そして、ステップＳ６１１において、無線制御部２０４を介して子機へメールを受信したことを通知する。尚、ここでは、メールを格納したメッセージＢＯＸの「Ｎｏ」も通知する。また、複数の子機が親機に登録されている場合、全ての子機に通知するか、特定の１台に通知するかについては予め設定されているものとする。例えば、メッセージＢＯＸの数だけ子機が登録されていれば、「Ｎｏ」が“０”の場合は全ての子機へ通知し、“０”以外の場合は対応する子機へ通知するようにしても良い。
【００２７】
次に、受信したメールを親機の操作部２０２から閲覧する場合の動作について説明する。
【００２８】
図７は、親機で受信メールを閲覧する場合の動作を示すフローチャートである。まず、ステップＳ７０１において、メールを格納しているメッセージＢＯＸの「Ｎｏ」が表示部２０３のＬＣＤに表示されていれば、オペレータは閲覧したいメッセージＢＯＸの「Ｎｏ」を入力する。また、メッセージＢＯＸの「Ｎｏ」が表示部２０３のＬＣＤに表示されていなければ、この受信メールは共有のメールであると判断し、“０”を入力する。
【００２９】
次に、ステップＳ７０２において、入力されたメッセージＢＯＸの「Ｎｏ」が“０”であるか判別する。ここで、“０”以外の場合はステップＳ７０３へ進み、パスワードの入力を促すメッセージを表示部２０３のＬＣＤに表示し、操作部２０２からパスワードが入力されるのを待つ。そして、パスワードが入力されるとステップＳ７０４へ進み、入力されたパスワードが予めオペレータが設定したメッセージＢＯＸのパスワード４０３と一致するかチェックする。
【００３０】
ここで、入力されたパスワードが予め設定されているパスワードと一致すればステップＳステップＳ７０５へ進み、受信したメール本文をＬＣＤに表示させて処理を終了する。また、パスワードが不一致であれば、本人ではないと判断してメール本文をＬＣＤに表示せずに処理を終了する。これによりメッセージＢＯＸの「Ｎｏ」に対応するメッセージＢＯＸに格納された個人宛のメール本文を閲覧する際の秘匿性を確保することができる。
【００３１】
一方、ステップＳ７０２において、入力されたメッセージＢＯＸの「Ｎｏ」が“０”の場合はステップＳ７０５へ進み、個人宛でなく、共有のメールであると判断し、パスワード入力を行わずに、受信したメール本文をＬＣＤに表示させて処理を終了する。
【００３２】
次に、親機のメモリ上に格納された受信メールを子機から閲覧する際の動作について説明する。尚、この場合、図６に示したステップＳ６１１において、親機から子機にメール受信が通知され、どのメッセージＢＯＸにメールが受信されているかを示すメッセージＢＯＸの「Ｎｏ」が子機の表示部３０３のＬＣＤに表示されているものとする。
【００３３】
図８は、子機で受信メールを閲覧する場合の動作を示すフローチャートである。まず、ステップＳ８０１において、子機のオペレータが閲覧したいメッセージＢＯＸの「Ｎｏ」を入力する。そして、ステップＳ８０２において、入力されたメッセージＢＯＸの「Ｎｏ」が“０”であるかを判別する。ここで、“０”以外の場合はステップＳ８０３へ進み、パスワードの入力を促すメッセージを表示部３０３のＬＣＤに表示し、操作部３０２からパスワードが入力されるのを待つ。尚、本実施形態では、子機からの共有メッセージＢＯＸへの閲覧を禁止しているが、必ずしも禁止する必要はない。
【００３４】
その後、パスワードが入力されるとステップＳ８０４へ進み、そのパスワードを無線制御部３０４を介して親機に通知し、受信したメールの転送要求を行う。一方、親機側では、ステップＳ８１０において、子機より上述のメール転送要求を受けるとステップＳ８１１へ進み、子機からのパスワードが予め設定したパスワードと一致するかチェックする。ここで、パスワードが一致すればステップＳ８１３へ進み、パスワード一致を子機側へ通知し、また不一致であればステップＳ８１２へ進み、パスワード不一致を子機側へ通知する。その後、ステップＳ８１４において、子機にメールデータを転送する。
【００３５】
次に、子機側では、ステップＳ８０５において、パスワードのチェック結果を親機側から受け取り、不一致であれば、処理を終了する。また、一致の場合にはステップＳ８０６へ進み、親機より受信したメールデータを格納し、ステップＳ８０７において、そのメール本文を表示部３０３のＬＣＤに表示する。尚、上述した例では、子機は任意のメッセージＢＯＸの「Ｎｏ」に格納された受信メールを閲覧できるが、メッセージＢＯＸと子機とを１対１に対応させて子機を完全に個人が使用するようにしてもかまわない。
【００３６】
即ち、特定の子機は決まったメッセージＢＯＸしか閲覧できないようにする。この場合、子機毎に予め対応するメッセージＢＯＸを設定しておくことにより、オペレータはメッセージＢＯＸを意識せず、あたかも自分の子機が直接メールを受信しているように扱えるメリットがある。
【００３７】
本実施形態では、親機のメモリ部２０５上にメッセージＢＯＸを設けているが、子機側のメモリ部３０５上に設けることも可能である。即ち、メッセージＢＯＸが子機に各々１ずつ割り当てられるため、親機側で受信したメールを予め該当する子機へ転送しておくという構成が取れる。この場合のメリットは、子機側でメールを保存するため、親機がダウンしてもメール情報の消失を防ぐことが可能になる。また、メッセージＢＯＸが子機側にあることにより、親機側でメモリを持たなくて済むことと、親機側がダウンしても、子機側でのメール保存が可能となり、メールの消失を最小限に防止できるメリットが生ずる。
【００３８】
次に、子機側で作成した送信メールを親機側へ転送し、親機のメモリ部に保存した後、ＰＳＴＮを経由してインターネット上の相手宛先へ送信する際の動作についてを説明する。
【００３９】
図９は、子機側で作成した送信メールを親機へ転送し、親機のメモリ部に保存して送信する場合の動作を示すフローチャートである。まず、ステップＳ９０１において、子機のオペレータが自分のメッセージＢＯＸの「Ｎｏ」を入力する。そして、ステップＳ９０２において、入力されたメッセージＢＯＸの「Ｎｏ」が“０”であるか判別する。ここで、“０”以外の場合にステップＳ９０３へ進み、パスワードの入力を促すメッセージを表示部３０３のＬＣＤに表示し、操作部３０２からパスワードが入力されるのを待つ。尚、本実施形態では、子機からの共有メッセージＢＯＸを使用する送信を禁止しているが、必ずしも禁止する必要はない。
【００４０】
その後、パスワードが入力されるとステップＳ９０４へ進み、そのパスワードを無線制御部３０４を介して親機に通知し、送信するメールの転送要求を行う。一方、親機側では、ステップＳ９１０において、子機より上述のメール転送要求を受けるとステップＳ９１１へ進み、子機からのパスワードが予め設定したパスワードと一致するかチェックする。ここで、パスワードが一致すればステップＳ８１３へ進み、パスワード一致を子機側へ通知し、また不一致であればステップＳ８１２へ進み、パスワード不一致を子機側へ通知する。
【００４１】
次に、子機側では、ステップＳ９０５において、パスワードのチェック結果を親機側から受け取り、不一致であれば、処理を終了する。また、一致の場合にはステップＳ９０６へ進み、子機の操作部３０２から送信するメールの作成を行う。そして、ステップＳ９０７において、作成した送信メールを親機側へ転送し、メールの送信要求を行う。これにより、親機側では、ステップＳ９１４において、子機からのメール転送要求を受信し、送信するメール本文をメッセージＢＯＸの「Ｎｏ」に対応させて保存する。次に、ステップＳ９１５において、ＰＳＴＮを経由してインターネット上の相手宛先へメール本文の送信を行う。
【００４２】
尚、本実施形態では、子機上で送信メールを作成する場合を例に説明したが、親機上で作成して送信することも可能である。この場合の動作は、パスワードの照合のための情報転送や送信メールの転送がないため、親機のみで閉じた動作となる点のみが異なる。
【００４３】
また、本実施形態では、メモリ上に仮想アドレス帳を備え、メールアドレスを簡易に設定する機能を有するものとする。これにより、「相手宛先キーワード」をメール本文の特定の場所に自動的に挿入したり、ｓｕｂｊｅｃｔ中に自動的に挿入することを可能とし、相手側端末での「メッセージＢＯＸ」への配信を可能とする。以下、この機能について詳細に説明する。
【００４４】
図１０は、本実施形態における仮想アドレス帳の構成を示す図である。図１０に示すように、仮想アドレス帳は、アドレス帳の「Ｎｏ」１００１で管理され、「相手の名称」１００２、「電話番号」１００３、「メールアドレス」１００４、「相手宛先キーワード」１００５のデータが関連付けてメモリ上に記憶されるものである。
【００４５】
送信メールを作成する時に、このアドレス帳により「相手の名称」１００２を検索してセットすると、リンクされた「メールアドレス」１００４が宛先としてセットされる。また、リンクされた「相手宛先キーワード」１００５が予め設定されていれば、送信メールのｓｕｂｊｅｃｔ及びメール本文の第１行目に自動的に挿入される。
【００４６】
また、相手先に到着したメールは、「相手宛先キーワード」が挿入されている場合、本実施形態で説明した電話機に相当する電子メール端末であれば、本実施形態と同様に、ルーティング処理を受けることが可能になる。そして、相手端末では、メール本文やｓｕｂｊｅｃｔに挿入された「相手宛先キーワード」を見て誰からの送信メールかを知ることができる。更には、相手側での「相手宛先キーワード」による配信を支援することができる。
【００４７】
以上説明したように、本実施形態によれば、１台の情報端末において、１つのメールアドレスしか持たない場合で、複数のユーザが共有する場合であっても、自分だけの「メッセージＢＯＸ」を持つことにより、ユーザ間での情報の秘密を確保し、個人用の電子メール環境を提供することができる。
【００４８】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００４９】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００５０】
この場合、記録媒体から読出されたプログラムコード自体が前述した実施形態の機能を実現することになり、そのプログラムコードを記憶した記録媒体は本発明を構成することになる。
【００５１】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００５２】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００５３】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【００５４】
【発明の効果】
以上説明したように、本発明によれば、複数のユーザが１つのメールアドレスで受信したメールを各々のメールとして格納して管理することにより、ユーザ間での秘匿性を確保し、個別に閲覧することができる。
【図面の簡単な説明】
【図１】本実施形態における通信端末装置の外観を示す斜視図である。
【図２】本実施形態における親機１００の概略構成を示すブロック図である。
【図３】本実施形態における子機１１０の概略構成を示すブロック図である。
【図４】本実施形態におけるメッセージＢＯＸの構成を示す図である。
【図５】図４に示すメッセージＢＯＸのメモリ配置と入力例を示す図である。
【図６】本実施形態におけるメール受信の動作を示すフローチャートである。
【図７】親機で受信メールを閲覧する場合の動作を示すフローチャートである。
【図８】子機で受信メールを閲覧する場合の動作を示すフローチャートである。
【図９】子機側で作成した送信メールを親機へ転送し、親機のメモリ部に保存して送信する場合の動作を示すフローチャートである。
【図１０】本実施形態における仮想アドレス帳の構成を示す図である。
【符号の説明】
１００　通信端末装置の親機
１０１　大型液晶表示器
１１０　通信端末装置の子機
２０１　リンガー部
２０２　操作部
２０３　表示部
２０４　無線制御部
２０５　メモリ部
２０６　電源部
２０７　ＭＰＵ部
２０８　ハンドセット部
２０９　音声モニター部
２１０　モデム部
２１１　通信制御部（ＮＣＵ）
３０１　リンガー部
３０２　操作部
３０３　表示部
３０４　無線制御部
３０５　メモリ部
３０６　電源部
３０７　ＭＰＵ部
３０８　ハンドセット部
【図１】
2004029962.tif 000003
【図２】
2004029962.tif 000004
【図３】
2004029962.tif 000005
【図４】
2004029962.tif 000006
【図５】
2004029962.tif 000007
【図６】
2004029962.tif 000008
【図７】
2004029962.tif 000009
【図８】
2004029962.tif 000010
【図９】
2004029962.tif 000011
【図１０】
2004029962.tif 000012